(57)【要約】    【課題】  台所で作業する者の足元空間を十分確保しながら、最下部に配置された収納部材の収納力もバランスよく維持することを課題とする。    【解決手段】  フロアに設置するシステムキッチン１の最下部に、前方へ引き出すフロアラック１１Ａ〜１３Ａを備え、該フロアラック１１Ａ〜１３Ａの前壁１１３，１２３，１３３を、その下部が後方へ後退するように傾斜させる。その後退量は、システムキッチン１の足元空間の拡大と、フロアラック１１Ａ〜１３Ａの収納容量の確保との均衡を考慮して設定し、例えば５０ｍｍ以上、１００ｍｍ未満である。    【選択図】    図１
2005160672.tif 000002
【特許請求の範囲】
【請求項１】
フロアに設置される台所用家具であって、前方へ引き出される収納部材が最下部に備えられ、該収納部材の前壁が、作業者のつま先と干渉しないように、下部を後方へ後退させた傾斜状とされていることを特徴とする台所用家具。
【請求項２】
前壁下部の後退量は、５０ｍｍ以上、１００ｍｍ未満であることを特徴とする請求項１に記載の台所用家具。
【請求項３】
収納部材は、前壁と、前部側壁と、前部底壁とを有する前部ユニットを、後壁と、後部側壁と、後部底壁とを有する本体部に結合一体化させた構造であることを特徴とする請求項１又は２に記載の台所用家具。
【請求項４】
前部ユニットの前部底壁は、本体部の後部底壁よりも低い位置に設けられ、且つ、両底壁をつなぐ段差壁が前部ユニットに形成されていることを特徴とする請求項３に記載の台所用家具。
【請求項５】
前部ユニットの前部側壁の上縁部は、後部を下方へ下げた傾斜状とされていると共に、当該台所用家具の側壁には、上記前部側壁の輪郭に一致させて、上縁部が、後部を下方へ下げた傾斜状とされた切欠きが設けられており、該切欠きの上記傾斜部に、収納部材を当該台所用家具に収容したときに両者の隙間を塞ぐ封止部材が取り付けられていることを特徴とする請求項３又は４に記載の台所用家具。
【請求項６】
収納部材の前壁の前面に、当該台所用家具の前面から前方へ突出しないように取っ手が設けられていることを特徴とする請求項１から５のいずれかに記載の台所用家具。
【発明の詳細な説明】
【技術分野】
【０００１】
本発明は台所用家具、特に、システムキッチンのキャビネット等、フロアに設置される台所用家具の足元空間の改良に関する。
【背景技術】
【０００２】
一般に、システムキッチンのキャビネット等、フロアに設置される台所用家具は、その最下部が、蹴込みと称して、前壁が後方へ引き込んだ形状とされている。この蹴込みは、台所で作業する者が、なるべく身体を家具に近づけることができるように、足のつま先と家具の最下部との干渉を回避するための足置き空間である。
【０００３】
例えば、特許文献１には、図１３に示すように、キッチンキャビネットａの最下部に、前方へ引き出す引出しｂを備え、その引出しｂの前壁ｃの下部を後方へ凹ませて蹴込みｄとすると共に、その結果前壁ｃの上部の内側に生成した段部ｅを収納ポケットとして利用することが記載されている。しかし、これでは、収納ポケットｅの高さをあまり大きく取れないから、該ポケットｅにはせいぜい細長いパスタや調味料の小瓶ぐらいしか置くことができず、上記収納ポケットｅを十分に有効利用することができない。
【０００４】
この問題に対処するものとして、特許文献２に記載されるように、台所用家具ａの最下部に備えた収納部材ｂの前壁ｃを、その下部が後方へ後退するように傾斜させることが考えられる（図１４参照）。こうすると、前壁ｃの内側に段部が生成しないから、この前壁ｃに近い収納部材ｂの前部空間ｘが上下に分断されず、該前部空間ｘを広い空間のまま使用することが可能となって、例えば背の高い醤油の瓶やサラダ油のボトル、あるいは径の大きな鍋の蓋等も収納部材ｂの前部に収納することができて、足元空間の有効利用が図られる。
【０００５】
【特許文献１】特開２０００−２３６９６４号公報
【特許文献２】特開平９−２６２１４６号公報
【発明の開示】
【発明が解決しようとする課題】
【０００６】
しかし、上記特許文献２に記載の技術は、単なる蹴込みの形成だけでなく、集合住宅等の狭い台所をのびやかな空間にすることも目的としているため、台所用家具の足元空間を広くすることだけが関心事であり、そのため、該台所用家具の最下部に配置された収納部材の肝心の収納容量が大幅に減少してしまう虞がある。
【０００７】
本発明は、従来の台所用家具における上記のような不具合に対処するもので、台所で作業する者の足元空間を十分確保しながら、最下部に配置された収納部材の収納力もバランスよく維持することを課題とする。以下、その他の課題を含め、本発明を詳しく説明する。
【課題を解決するための手段】
【０００８】
すなわち、本願の請求項１に記載の発明は、フロアに設置される台所用家具であって、前方へ引き出される収納部材が最下部に備えられ、該収納部材の前壁が、作業者のつま先と干渉しないように、下部を後方へ後退させた傾斜状とされていることを特徴とする。
【０００９】
また、請求項２に記載の発明は、上記請求項１に記載の台所用家具において、前壁下部の後退量は、５０ｍｍ以上、１００ｍｍ未満であることを特徴とする。
【００１０】
また、請求項３に記載の発明は、上記請求項１又は２に記載の台所用家具において、収納部材は、前壁と、前部側壁と、前部底壁とを有する前部ユニットを、後壁と、後部側壁と、後部底壁とを有する本体部に結合一体化させた構造であることを特徴とする。
【００１１】
また、請求項４に記載の発明は、上記請求項３に記載の台所用家具において、前部ユニットの前部底壁は、本体部の後部底壁よりも低い位置に設けられ、且つ、両底壁をつなぐ段差壁が前部ユニットに形成されていることを特徴とする。
【００１２】
また、請求項５に記載の発明は、上記請求項３又は４に記載の台所用家具において、前部ユニットの前部側壁の上縁部は、後部を下方へ下げた傾斜状とされていると共に、当該台所用家具の側壁には、上記前部側壁の輪郭に一致させて、上縁部が、後部を下方へ下げた傾斜状とされた切欠きが設けられており、該切欠きの上記傾斜部に、収納部材を当該台所用家具に収容したときに両者の隙間を塞ぐ封止部材が取り付けられていることを特徴とする。
【００１３】
そして、請求項６に記載の発明は、上記請求項１から５のいずれかに記載の台所用家具において、収納部材の前壁の前面に、当該台所用家具の前面から前方へ突出しないように取っ手が設けられていることを特徴とする。
【発明の効果】
【００１４】
上記請求項１に記載の発明によれば、台所用家具の最下部に備えた収納部材の前壁下部を、作業者のつま先との干渉を回避するように後方へ後退させ、それ以上不必要に後退させていないから、上記収納部材の肝心の収納容量が大幅に減少してしまうような不具合が解消される。換言すれば、台所用家具の最下部に備えた収納部材の前壁下部の後退量を、当該台所用家具の足元空間の拡大と上記収納部材の収納容量の確保との均衡を考慮して設定したから、台所で作業する者の足元空間を十分確保しつつ、併せて、上記収納部材の収納力もバランスよく維持することが可能となる。
【００１５】
次に、請求項２に記載の発明によれば、前壁下部の後退量を、５０ｍｍ以上、１００ｍｍ未満としたから、台所で作業する者の足元空間を必要最少量だけ確保することができ、該足元空間を無駄に大きく拡大することに起因する収納部材の収納力の大幅な低減が確実に回避される。すなわち、５０〜１００ｍｍは、請求項１において、「収納部材の前壁が、作業者のつま先と干渉しないように、下部を後方へ後退させた」後退量の具体的数値の１例である。
【００１６】
次に、請求項３に記載の発明によれば、収納部材を、前部ユニットと、本体部とを結合一体化させた構造としたから、例えば、前部ユニットを、前壁が傾斜していない通常の前部ユニット等と取り替えることにより、異種の収納部材間、あるいは異種の台所用家具間で、部品の共通化が図られ、ひいては当該台所用家具のコストダウンが図られる。
【００１７】
次に、請求項４に記載の発明によれば、上記前部ユニットの底壁の位置を本体部の底壁の位置よりも低くし、且つ、両底壁をつなぐ段差壁を前部ユニットに形成したから、前部ユニットと本体部との境界において底壁には段差が生成し、この段差に、前部ユニットの収納空間に収納した物品の下部を係止させることができて、例えば前部ユニットの前壁の傾斜面に持たせ掛けて収納した大型物品の安定化等が図られる。
【００１８】
次に、請求項５に記載の発明によれば、上記前部ユニットの側壁上縁部を、後部が下方へ下がるように傾斜させると共に、これに呼応させて、当該台所用家具の側壁に設けた切欠きの上縁部も、後部が下方へ下がるように傾斜させて、この切欠き側の傾斜部に、収納部材を当該家具に収容したときに両者の隙間を塞ぐ封止部材を取り付けたから、例えば塵埃や害虫等が収納部材と当該家具との壁部の隙間から収納部材内部及び当該家具内部に侵入することが効果的に防止できる。
【００１９】
そして、請求項６に記載の発明によれば、収納部材の前壁の前面に、当該台所用家具の前面から前方へ突出しないように取っ手を設けたから、この取っ手が邪魔になって台所の足元空間が狭くなるというような不具合がなくなり、台所での作業性が良好なものに維持される。以下、発明を実施するための最良の形態を通して、本発明をさらに詳しく説明する。
【発明を実施するための最良の形態】
【００２０】
本実施形態においては、本発明は、図１に示すシステムキッチン１に適用されている。このシステムキッチン１は、フロアに設置されるベースキャビネット１０の上にワークトップ（天板）２０が載置された基本構成を有する。ベースキャビネット１０は、高さが揃えられ、意匠の統一が図られた複数の個別キャビネットが列状に並設されたもので、本実施形態では、左から順に、シンク用キャビネット１１、調理台用キャビネット１２、及びコンロ用キャビネット１３の３つの個別キャビネットが並んでいる。一方、ワークトップ２０は、その上面にシンク２１とガスコンロ２２とが備え付けられている。
【００２１】
図２にコンロ用キャビネット１３を例にして示すように、各個別キャビネットは、後壁１５と左右の側壁１６，１６（図には左の側壁のみ図示）と底壁１７とを有して、上面及び前面が開放された箱体である。そして、図１に示したように、すべての個別キャビネット１１〜１３の上面は、上記単一のワークトップ２０で覆われていると共に、シンク用キャビネット１１の前面は、上から順に、幕板１１１、中段引出しの前板１１２、及び下段引出し（以下、フロアラックという）１１Ａの前板１１３で覆われており、調理台用キャビネット１２の前面は、上段引出しの前板１２１、中段引出しの前板１２２、及びフロアラック１２Ａの前板１２３で覆われており、コンロ用キャビネット１３の前面は、コンロ操作パネルとそれを挟んで左右両側に配置された一対の上段引出しの前板１３１，１３１、中段引出しの前板１３２、及びフロアラック１３Ａの前板１３３で覆われている。
【００２２】
なお、個別キャビネットは、上記例に限らず、他にも、ＩＨクッキングヒータ用キャビネットや、食器洗い乾燥機用キャビネット、あるいは電子レンジ・オーブンレンジ用キャビネット等でも構わない。
【００２３】
そして、本実施形態では、ベースキャビネット１０の前面の下部領域が後方へ後退するように傾斜されており、その結果、各個別キャビネット１１〜１３の最下部に備えられたフロアラック１１Ａ〜１３Ａの前板１１３，１２３，１３３が、その下部が後方へ後退するように傾斜されている。以下、右端のコンロ用キャビネット１３とそのフロアラック１３Ａを例にしてさらに説明するが、他のフロアラック１１Ａ，１２Ａについても事情は同じである。
【００２４】
図２に示したように、フロアラック１３Ａは、その前部を構成する前部ユニット３１と、後部を構成する本体部３２とを有する。前部ユニット３１は、傾斜した上記前板１３３と、該前板１３３の内面の左右両端部に前端部が結合された左右の前部側壁３３，３３（図には左の前部側壁のみ図示）と、同じく前板１３３の内面の下端部に前端部が結合された前部底壁３４とが一体となったものである。
【００２５】
一方、ラック本体部３２は、上記前板１３３に対向配置された後壁４１と、該後壁４１の内面の左右両端部に後端部が結合された左右の後部側壁４２，４２（図には左の後部側壁のみ図示）と、同じく後壁４１の内面の下端部に後端部が結合された後部底壁４３とが一体となったものである。そして、前部ユニット３１の後端部にラック本体部３２の前端部が結合されることにより、全体としてフロアラック１３Ａが一体に形成されている。
【００２６】
ここで、図２に破線で例示したように、ラック本体部３２の側壁４２，４２の外面に設けられたスライドレールが、キャビネット１３の側壁１６，１６の内面に設けられたスライドローラに嵌合することにより、フロアラック１３Ａは、ほぼ全長に亘ってキャビネット１３から前方へ引き出されるようになっている。なお、上段引出し及び中段引出しもこれに準じて同様の構成である。
【００２７】
また、図２に示したように、本実施形態では、ラック本体部３２の側壁４２，４２の上方に、前後に水平に延びるポール部材４４，４４が設けられている。そして、上記ポール部材４４，４４には、間仕切り部材４５，４５が前後にスライド自在に嵌合されている。
【００２８】
また、図２に示したように、前部ユニット３１の底壁３４は、ラック本体部３２の底壁４３よりも低い位置に設けられ、これにより、前部ユニット３１とラック本体部３２との境界において底壁には段差が生じている。そして、その段差をつなぐ段差壁３５が前部ユニット３１の後下部に設けられている。
【００２９】
そして、図３〜図５に拡大図示するように、前部ユニット３１とラック本体部３２との結合時に、ラック本体部３２の側壁４２，４２及びポール部材４４，４４を位置決めするための孔３６…３６が前部ユニット３１の左右の後端壁３７，３７に形成されていると共に、図３に示したように、ラック本体部３２の底壁４３を位置決めするための金具３８が前部ユニット３１の段差壁３５の外面に設けられている。なお、中段引出しもこれに準じて同様の構成である。
【００３０】
また、図１〜３に例示したように、フロアラック１３Ａをキャビネット１３に収容したときに、前部ユニット３１がキャビネット１３にぴったりとおさまるように、該キャビネット１３の側壁１６，１６の前下角部には、前部ユニット３１の側壁３３，３３の輪郭に一致させて、逆Ｌ字状の切欠き１８，１８が形成されている。
【００３１】
その場合に、図３に示したように、フロアラック１３Ａを閉めたときに、該ラック１３Ａとキャビネット１３との隙間を塞ぐ封止部材（パッキン）５１〜５３がキャビネット１３側に取り付けられており、図例では、フロアラック１３Ａの前部ユニット３１の前上縁部を塞ぐ上横パッキン５１が、キャビネット１３の前部で左右に架設された梁部材１９の下面に設けられ、同じくフロアラック１３Ａの前部ユニット３１の左右の後縦縁部を塞ぐ縦パッキン５２，５２（図には左の縦パッキンのみ図示）が、キャビネット１３の切欠き１８，１８の縦縁部に設けられ、同じくフロアラック１３Ａの前部ユニット３１の後下縁部を塞ぐ下横パッキン５３が、キャビネット１３の底壁１７の前端面に設けられている。
【００３２】
ここで、フロアラック１３Ａの幅寸法や奥行寸法は、用途や種別等に応じて任意であり、特に限定されない。例えば、フロアラック１３Ａの幅寸法は、１５０ｍｍ，２００ｍｍ，３００ｍｍ，４５０ｍｍ，７５０ｍｍ，９００ｍｍ，１２００ｍｍ等が好ましく、奥行寸法は、６００ｍｍ，６５０ｍｍ等が好ましい。
【００３３】
また、フロアラック１３Ａの材質も、用途や種別等に応じて任意であり、特に限定されない。例えば、フロアラック１３Ａは、木材、金属、樹脂、ラバー、あるいはこれらの複合体等により好ましく作製される。
【００３４】
そして、このフロアラック１３Ａの傾斜した前板１３３の下部の後方への後退量は、各個別キャビネット１１〜１３あるいはベースキャビネット１０ひいてはシステムキッチン１全体の足元空間の拡大と、フロアラック１３Ａの収納容量の確保との均衡を考慮して設定されている。例えば、図６に概念的に示すように、フロアラック１３Ａの前板１３３の高さ寸法（すなわち、キャビネット１３の下段の高さ寸法）をＨ、垂直線に対する傾斜角をθ、傾斜長（すなわち、前板１３３自体の高さ寸法）をＡ、及び奥行寸法（すなわち、後方への後退量）をＢとすると、上記高さ寸法Ｈを２４０ｍｍ，２５０ｍｍ，２６０ｍｍ，２７０ｍｍ及び２８０ｍｍと設定した場合に、傾斜角θを１〜３０度としたときの、上記傾斜長Ａ及び奥行寸法Ｂの変化は表１のようになる。
【００３５】
【表１】
2005160672.tif 000003
【００３６】
ここで、まず、足置き空間としての蹴込みは、図６に示したように、フロアからの縦寸法が５０ｍｍ、及び家具前面からの奥行寸法が５０ｍｍあれば一般に十分である。そこで、奥行寸法Ｂの最低値を５０ｍｍとし（ただしこの場合、５０ｍｍ×５０ｍｍの上記足置き空間の一部分に、傾斜した前板１３３の前面の一部分が進入する）、最大値を１００ｍｍ未満とする。このとき、奥行寸法Ｂを１００ｍｍ以上とすると、確かにそれだけキャビネット１３Ａの足元空間が広くなるが、台所で作業する者にとっては必要以上に大きなスペースで無駄であり、却ってフロアラック１３Ａの肝心の収納容量、つまり収納力が徒に大幅減少するだけなので好ましくない。
【００３７】
表１から明らかなように、前板１３３下部の後退量Ｂが５０ｍｍ以上で１００ｍｍ未満となる傾斜角θは、高さ寸法Ｈが２４０ｍｍの場合で１２〜２２度、２５０ｍｍの場合で１２〜２１度、２６０ｍｍの場合で１１〜２０度、２７０ｍｍの場合で１１〜２０度、及び２８０ｍｍの場合で１１〜１９度である（総合すると傾斜角θは１１〜２２度の範囲が好ましい）。
【００３８】
次に、このフロアラック１３Ａに収納する物品として、例えば鍋の蓋の径は、一般的なミルクパンで１２０〜１４０ｍｍ、アルミパンで１５０〜２１０ｍｍ、ホーローシチュー鍋で１９０ｍｍ、耐熱ガラス鍋で２８０ｍｍ、及び寸銅鍋で３００ｍｍ等である。そこで、これらの鍋の蓋を傾斜した前板１３３の内面に持たせ掛けて収納することを考えて、傾斜長Ａの最大値を３００ｍｍ、好ましくは２７０〜３００ｍｍとする。
【００３９】
表１から明らかなように、前板１３３の傾斜長Ａが２７０〜３００ｍｍとなる傾斜角θは、高さ寸法Ｈが２４０ｍｍの場合で２８度以上、２５０ｍｍの場合で２２度以上、２６０ｍｍの場合で１６〜３０度、２７０ｍｍの場合で０〜２６度、及び２８０ｍｍの場合で０〜２１度である。
【００４０】
特に、高さ寸法Ｈが２６０ｍｍの場合は傾斜角θが１６〜２１度のときに、２７０ｍｍの場合は傾斜角θが１１〜２０度のときに、及び２８０ｍｍの場合は傾斜角θが１１〜１９度のときに、それぞれ、奥行寸法Ｂが５０ｍｍ以上で１００ｍｍ未満となる条件と、傾斜長Ａが２７０〜３００ｍｍとなる条件の両方の条件を同時に満足することが分かる（総合すると傾斜角θは１６〜１９度の範囲が好ましい）。
【００４１】
以上のように、本実施形態に係るシステムキッチン１においては、その最下部に備えたフロアラック１３Ａの前板１３３が、その下部が後方へ後退するように傾斜していると共に、その後方後退量Ｂを、当該システムキッチン１の足元空間の拡大と、上記フロアラック１３Ａの収納容量の確保との均衡を考慮して設定したから、台所で作業する者の足元空間を十分確保しつつ、併せて、上記フロアラック１３Ａの収納力もバランスよく維持することが可能となる。
【００４２】
その場合に、前板１３３下部の後退量Ｂを、当該システムキッチン１の足元空間の拡大と上記フロアラック１３Ａの収納容量の確保との均衡を考慮して、具体的数値の１例として、５０ｍｍ以上、１００ｍｍ未満に設定したから、台所で作業する者の足元空間を必要最少量だけ確保することができ、該足元空間を無駄に大きく拡大することに起因するフロアラック１３Ａの収納力の大幅な低減が確実に回避される。
【００４３】
また、フロアラック１３Ａの前板１３３と、該前板１３３に近い前部側壁３３，３３及び前部底壁３４とを、ラック本体部３２に対して着脱自在な前部ユニット３１として一体化したから、この前部ユニット３１を、例えば前板が傾斜していない通常の前部ユニット等と取り替えることにより、異種の引出し間、異種のキャビネット間で部品の共通化が図られ、当該システムキッチン１のコストが抑制される。
【００４４】
その場合に、図３に示したように、傾斜した前板１３３の内側に段部等が形成されていないから、この前板１３３に近いフロアラック１３Ａの前部空間Ｘが上下に分断されず、該前部空間Ｘを広い空間のまま使用することが可能となって、例えば図３や図４に図示したような、径の大きい鍋の蓋や、あるいは背の高い醤油の瓶、サラダ油のボトル等の大型物品Ｗを、このフロアラック１３Ａの前部に収納することが可能となる。
【００４５】
そして、その場合に、前部ユニット３１の底壁３４を、ラック本体部３２の底壁４３の位置よりも低くしたから、これら前部ユニット３１とラック本体部３２との境界において底壁に段差が生成することになり、この段差に前部ユニット３１の内部空間Ｘに収納した物品Ｗの下部を係止させることができて、例えば前板１３３の傾斜面に持たせ掛けて収納した鍋の蓋等の大型物品Ｗの安定化等が図られる。
【００４６】
以下、本発明の別の実施形態を説明する。なお、同じ又は類似する構成要素には同じ符号を用いる。
【００４７】
まず、図７に示す第２の実施形態は、フロアラック１３Ａの変形例を表すもので、前部ユニット３１の側壁３３、３３は、前後長が短くなって、３つの辺しか有さない逆三角形状となっている。そして、フロアラック１３Ａの前板１３３の前面には取っ手６０が設けられており、図例の取っ手６０は、一般的な形状のものであるが、その先端部がキャビネット１０の前面から前方へ突出しないように各部の寸法が定められている。これにより、この取っ手６０が邪魔になって台所の足元空間が狭くなる、というような不具合が回避される。例えば、この取っ手６０を余り下方へ配置すると、前述の５０ｍｍ×５０ｍｍの足置き空間内に取っ手６０が進入することになって好ましくない。
【００４８】
なお、ここで、図３にも取っ手６０を鎖線で示し、併せて、このシステムキッチン１の従来の蹴込みラインを鎖線７０で示している。このように、本発明に係る台所用家具では、取っ手６０は、足置き空間である蹴込みの範囲内に位置しないように留意されている。
【００４９】
次に、図８に示す第３の実施形態は、フロアラック１３Ａの別の変形例を表すもので、前板１３３の傾斜面の上部に垂直のパネル部材６１を設け、その下端部を下方へ突出させることにより、該突出部を、手を引っ掛けることのできる取っ手６０としたものである。この例においても、取っ手６０はキャビネット１０の前面から前方へ出っ張ることがない。
【００５０】
併せて、この例では、前部ユニット３１の側壁３３，３３の上縁部３３ａ，３３ａは、その後部を下方へ下げた傾斜状とされていると共に、キャビネット１３の側壁１６，１６の切欠き１８，１８も、それに呼応して、その上縁部１８ａ，１８ａが、後部を下方へ下げた傾斜状とされて、この切欠き１８，１８の傾斜部１８ａ，１８ａに、フロアラック１３Ａをキャビネット１３に収容したときに、該ラック１３Ａとキャビネット１３との隙間を塞ぐ封止部材（パッキン）５４，５４が取り付けられている。これにより、塵埃や害虫等が該ラック１３Ａとキャビネット１３との壁部３３，３３；１６，１６の隙間からラック１３Ａ及びキャビネット１３内部に侵入することが効果的に防止できる。
【００５１】
すなわち、上記第１、第２の実施形態のように、前部ユニット３１の側壁３３，３３の上縁部、及びキャビネット１３の切欠き１８，１８の上縁部が水平に形成されている場合に、パッキンを切欠き１８，１８の上縁部に取り付けたときは、フロアラック１３Ａの開け閉めの際に、該パッキンが前部ユニット３１の側壁３３，３３の上縁部と擦れて脱落したり磨耗したりするので、そのような部位にはパッキンを配設することは極めて困難であった。これに対し、前部ユニット３１の側壁３３，３３の上縁部３３ａ，３３ａ、及びキャビネット１３の切欠き１８，１８の上縁部１８ａ，１８ａを斜めにカットすると、該切欠き１８，１８の上縁部にパッキン５４，５４を支障なく容易にかつ安定に配設することが可能となる。
【００５２】
次に、図９に示す第４の実施形態は、フロアラック１３Ａのさらに別の変形例を表すもので、図８の第３実施形態と同様、前板１３３の傾斜面の上部に垂直のパネル部材６１を設けるが、その下端部は下方へ突出させず、代わりに、該下端部に専用の取っ手６０を取り付けたものである。
【００５３】
次に、図１０に示す第５の実施形態は、フロアラック１３Ａのさらに別の変形例を表すもので、例えば薄板を曲げ加工した取っ手６０が前板１３３の最上部に接着剤や溶接等で取り付けられている。この例においても、取っ手６０の先端部は、フロアラック１３Ａが閉じられた状態のときに、キャビネット１０の前面と面一となり、前方へ出っ張ることがない。
【００５４】
次に、図１１に示す第６の実施形態は、フロアラック１３Ａのさらに別の変形例を表すもので、図１０の第５実施形態と同様、専用の取っ手６０が前板１３３の最上部に配置されている。ただし、この取っ手６０は、前板１３３の幅方向に水平に延びていてもよいし、また前板１３３にスポット的に取り付けられていてもよい。
【００５５】
一方、図１２に示す第７の実施形態のように、ベースキャビネット１０の最下部に備える収納部材として、フロアラック１１Ａ〜１３Ａに代えて、ワゴン１００のようなタイプにしてもよい。この場合、キャビネット１０には底壁がなく、ワゴン１００は直接フロア上をキャスタ１０１…１０１で転がり移動する。キャビネット１０の側壁１６，１６の前下角部の切欠き１８，１８は斜めにカットされた傾斜縁部のみ有し、ワゴン１００の前板１３３がそのままキャビネット１０の前下角部に嵌り込んで上記切欠き１８，１８を封鎖するようになっている。
【００５６】
以上説明した実施形態は、本発明を実施するための最良の形態ではあるが、本発明の趣旨を逸脱しない限り、なお種々の変更や省略が可能なことはいうまでもない。例えば、図３〜図５に例示したように、前板１３３の傾斜面に持たせ掛けて収納した物品Ｗ，Ｗを固定するゴムバンドや押えバー等の物品固定部材８０，８０を前部ユニット３１に架設してもよい。これにより、上記物品Ｗ，Ｗを転倒させることなく安定して収納できる。
【００５７】
また、以上説明した実施形態では、図３に示したように、前部ユニット３１の段差壁３５は、ラック本体部３２の底壁４３をわずかに超えて上方に延びていたが、ラック本体部３２の底壁４３と同じ高さであってもよく、また、例えば、ラック本体部３２の側壁４２，４２と同じ高さ、あるいは前部ユニット３１の側壁３３，３３と同じ高さまで上方へ延びてもよい。その場合は、前部ユニット３１の収納空間Ｘとラック本体部３２の収納空間Ｙとが部分的に又は完全に仕切られることになる。
【産業上の利用可能性】
【００５８】
以上、具体例を挙げて詳しく説明したように、本発明は、台所で作業する者の足元空間を十分確保しながら、最下部に配置された収納部材の収納力もバランスよく維持することができる。本発明は、フロアに設置されるキッチンキャビネット等の台所用家具一般の技術分野において、幅広い産業上の利用可能性が期待される。
【図面の簡単な説明】
【００５９】
【図１】本発明の実施の形態に係る台所用家具としてのシステムキッチンの斜視図である。
【図２】図１のＩＩ−ＩＩ面に沿う縦側断面図である。
【図３】フロアラックの前部周辺の拡大縦側断面図である。
【図４】図３のＩＶ−ＩＶ線に沿う断面図である。
【図５】図３の矢印Ｖによる部分平面図である。
【図６】フロアラックの前板の各部寸法を示す概念図である。
【図７】第２の実施形態に係るフロアラックの前部の拡大側面図である。
【図８】第３の実施形態に係るフロアラックの前部の拡大側面図である。
【図９】第４の実施形態に係るフロアラックの前部の拡大側面図である。
【図１０】第５の実施形態に係るフロアラックの前部の拡大側面図である。
【図１１】第６の実施形態に係るフロアラックの前部の拡大側面図である。
【図１２】第７の実施形態に係るシステムキッチンの図２と類似の縦側断面図である。
【図１３】フロアラックの従来例を示す縦側断面図である。
【図１４】フロアラックの他の従来例を示す縦側断面図である。
【符号の説明】
【００６０】
１          システムキッチン
１０        ベースキャビネット
１１        シンク用キャビネット
１１Ａ〜１３Ａ  フロアラック（収納部材）
１２        調理台用キャビネット
１３        コンロ用キャビネット
１５        後壁
１６        側壁
１７        底壁
１８        切欠き
１８ａ      切欠きの傾斜部
１９        梁部材
２０        ワークトップ
２１        シンク
２２        ガスコンロ
３１        前部ユニット
３２        ラック本体部
３３        前部側壁
３３ａ      前部側壁の上縁部
３４        前部底壁
３５        段差壁
３６        孔
３７        後端壁
３８        金具
４１        後壁
４２        後部側壁
４３        後部底壁
４４        ポール部材
４５        間仕切り部材
５１〜５４  パッキン（封止部材）
６０        取っ手
６１        パネル部材
７０        従来の蹴込みライン
８０        物品固定部材
１１１      幕板
１１２      中段引出しの前板
１１３      フロアラック１１Ａの前板
１２１      上段引出しの前板
１２２      中段引出しの前板
１２３      フロアラック１２Ａの前板
１３１      上段引出しの前板
１３２      中段引出しの前板
１３３      フロアラック１３Ａの前板（前壁）
Ｗ          物品
Ｘ          前部空間
Ｙ          後部空間
【図１】
2005160672.tif 000004
【図２】
2005160672.tif 000005
【図３】
2005160672.tif 000006
【図４】
2005160672.tif 000007
【図５】
2005160672.tif 000008
【図６】
2005160672.tif 000009
【図７】
2005160672.tif 000010
【図８】
2005160672.tif 000011
【図９】
2005160672.tif 000012
【図１０】
2005160672.tif 000013
【図１１】
2005160672.tif 000014
【図１２】
2005160672.tif 000015
【図１３】
2005160672.tif 000016
【図１４】
2005160672.tif 000017